(57)【要約】【課題】複数の家電機器等を相互に接続するために、取扱説明書、若しくは電子マニュアルを参照しても、当該機器の接続端子については記述及び図示はされているが、その端子とケーブルを介して接続すべき他機器の端子については、一般的若しくは抽象的な表現で記載されており、それらの家電機器に詳しくない人にとっては、どのように接続すれば良いのかが判り難いという問題があった。そこで、本発明は、それらの家電機器等の接続を誰にとっても容易なものにすべく、適切な接続情報を提供するものである。【解決手段】本発明は、受信した接続する２つの機器の機器名称から、該機器の端子属性を取り出し、接続され得る２つの端子属性の組み合わせを記憶する端子間接続テーブルを参照して、該当する組み合わせの有無を判定し、該端子の画像情報を送信することにより実現されるものである。【選択図】                  図１
2005031738.tif 000002
【特許請求の範囲】
【請求項１】
コンピュータが、２つの機器を接続するための端子の画像情報を送信する方法であって、
接続する機器の機器名称を受信する第１のステップと、
前記機器名称に基づいて、前記機器が有する端子と端子属性とを対応付けて記憶する端子情報属性テーブルを参照して、端子属性を取り出す第２のステップと、
前記取り出した２つの機器の端子属性の組み合わせについて、接続され得る２つの端子の端子属性の組み合わせを記憶する端子間接続テーブルを参照して、該当する端子属性の組み合わせの有無を判定する第３のステップと、
前記第３のステップにおいて該当する組み合わせが有ると判定された端子属性について、対応する端子の画像情報を送信する第４のステップと
を備えたことを特徴とする接続方法表示方法。
【請求項２】
コンピュータを動作させるためのプログラムであって、コンピュータに
接続する機器の機器名称を受信する第１の手段と、
前記機器名称に基づいて、前記機器が有する端子と端子属性とを対応付けて記憶する端子情報属性テーブルを参照して、端子属性を取り出す第２の手段と、
前記取り出した２つの機器の端子属性の組み合わせについて、接続され得る２つの端子の端子属性の組み合わせを記憶する端子間接続テーブルを参照して、該当する端子属性の組み合わせの有無を判定する第３の手段と、
前記第３の手段において該当する組み合わせが有ると判定された端子属性について、対応する端子の画像情報を送信する第４の手段と
を機能させるための接続方法表示プログラム。
【請求項３】
２つの機器を接続するための端子の画像情報を送信する装置であって、
接続する機器の機器名称を受信する第１の手段と、
前記機器が有する端子と端子属性とを対応付けて記憶する端子情報属性テーブルと、
前記機器名称に基づいて、前記端子情報属性テーブルを参照して、端子属性を取り出す第２の手段と、
接続され得る２つの端子の端子属性の組み合わせを記憶する端子間接続テーブルと、
前記取り出した２つの機器の端子属性の組み合わせについて、前記端子間接続テーブルを参照して、該当する端子属性の組み合わせの有無を判定する第３の手段と、
前記第３の手段において該当する組み合わせが有ると判定された端子属性について、対応する端子の画像情報を送信する第４の手段と
を備えることを特徴とする接続方法表示装置。
【発明の詳細な説明】
【０００１】
【発明の属する技術分野】
本発明は、コンピュータが、家電機器等の接続に関する情報を表示するための接続方法表示プログラム、接続方法表示方法及び接続方法表示装置に関する。
【０００２】
【従来の技術】
従来、家電機器、パーソナルコンピュータ等の取り扱いを記載したマニュアルは、主として紙の媒体によりその製品に添付して提供されていた。そして、それらのマニュアルは、今後については、紙媒体から電子データに変わり、さらにオンラインで参照する方向に移行していくことが予測されている。例えば、特許文献１には、家電製品等の紙媒体の取扱説明書、保証書の欠点を解決するために、ネットワークを介して取扱説明書等の製品情報の提供を受けることができるシステムが記載されている。
【０００３】
【特許文献１】
特開２００２−２９８０１０号公報
【０００４】
【発明が解決しようとする課題】
複数の家電機器等を相互に接続するために、上記の従来の技術のような紙媒体の取扱説明書、若しくはそれを単に電子データに変換した、いわゆる電子マニュアルを参照しても、当該機器の接続端子については記述及び図示はされているが、その端子とケーブルを介して接続すべき他機器の端子については、一般的若しくは抽象的な表現である場合がほとんどである。テレビモニタ装置の場合を例にすると、テレビモニタ装置の映像及び音声の入力端子に接続される機器としては、ビデオデッキ、ＤＶＤプレイヤー等、複数種の機器が挙げられるが、テレビモニタ装置のマニュアルには、それらの接続される機器の端子については例えば「出力端子」というように一括して表現されており、実際の各機器に表示されている、例えば「映像出力」、「Ｖｉｄｅｏ  Ｏｕｔ」、「Ｌｉｎｅ  Ｏｕｔ」等の様々な名称とは一致しない場合が多い。そのため、それらの家電機器に詳しくない人にとっては、どのように接続すれば良いのかが判り難く、また、接続を試みたとしても間違った接続をしてしまう等のトラブルが発生してしまう。
そこで、本発明は、それらの家電機器等の接続を誰にとっても容易なものにすべく、適切な接続情報を提供するものである。
【０００５】
【課題を解決するための手段】
本発明の接続方法表示方法は、接続する２つの機器の機器名称を受信する第１のステップと、前記機器名称に基づいて、前記機器が有する端子と端子属性とを対応付けて記憶する端子情報属性テーブルを参照して、端子属性を取り出す第２のステップと、前記取り出した２つの機器の端子属性の組み合わせについて、接続され得る２つの端子の端子属性の組み合わせを記憶する端子間接続テーブルを参照して、該当する端子属性の組み合わせの有無を判定する第３のステップと、前記第３のステップにおいて該当する組み合わせが有ると判定された端子属性について、対応する端子の画像情報を送信する第４のステップとにより、実現されるものである。
【０００６】
従って、本発明によれば、接続しようとする２つの機器の名称に関する情報のみから、接続すべき端子の画像情報を得ることができ、誰でも容易に接続作業を行うことが可能となる。
【０００７】
【発明の実施の形態】
本発明の実施の形態について図面により説明する。
【０００８】
図１に本発明の構成の１例を示す。図１に示される実施例は、サーバ１０とクライアント１１とがネットワーク１２を介して接続される構成から成るものである。サーバ１０には、家電機器等の電子マニュアルを記憶する電子マニュアルＤＢ１３が備えられる。この電子マニュアルＤＢ１３には、各家電機器等の製造メーカー等が作成する電子マニュアルを記憶するものであるが、常に各製造メーカーから電子マニュアルの提供を受けて蓄積しておくこととしても良いし、あるいは、本発明の処理のために電子マニュアルが必要になったときに、随時、各製造メーカーのサーバ（図示はしていない）からダウンロードして、保存することとしても良い。
【０００９】
電子マニュアルのデータ構成の例を図７に示す。
【００１０】
図７は、機器名称「ＡＡＡ」、機器種別「プリメインアンプ」のＡＡＡ電子マニュアル７０である。ＡＡＡ電子マニュアル７０は、主にＡＡＡ取扱説明書ファイル７０１、端子情報属性テーブル７０２、及び端子画像ファイル７０３から構成される。取扱説明書ファイル７０１は、従来において紙媒体で提供されていた取扱説明書を電子データに変換したものである。端子画像ファイル７０３は、その機器が備える端子の外観の画像のデータであり、ユーザが接続作業を行う際には、この画像を参照する。端子情報属性テーブル７０２は、端子画像ファイル７０３の名称と、その端子属性とを対応づけて記憶するものである。
【００１１】
ここで、図６により、端子属性について説明する。
【００１２】
図６に示す端子属性テーブル６０は、端子種別６１と端子属性６２を対応付けて記憶するものであり、その端子が扱う信号が音声であるのか映像であるのか、信号を出力するのか入力するのか、等により端子種別６１として分類し、それぞれに対して便宜的に端子属性６２として、ａ、ｂ、ｃ等の記号の割り当てを規定したものである。この端子属性テーブル６０は、本発明の処理の実行時に用いるものではなく、各製造メーカーが、電子マニュアルのデータを作成する際に参照するものである。即ち、機器ごとに独自の名称がつけられている各端子について、端子情報属性テーブル７０２により、端子属性を割り当てることにより、同じ種別の端子については、同じ端子属性により識別されることとなる。
【００１３】
本発明にかかる接続方法表示プログラム１４は、クライアント１１から受信した接続する２つの機器の名称に関する情報に基づいて、接続する端子の画像情報を電子マニュアルＤＢ１３から抽出し、クライアント１１に送信するための処理を記述したプログラムである。
【００１４】
ユーザプロファイル１５は図９（ａ）に示すように、ユーザ名９１ごとに、そのユーザが所有する家電機器等の機器名称９２を対応付けて記憶するテーブルである。処理の詳細は後述するが、予めユーザが所有する家電機器等をこのユーザプロファイル１５に登録しておけば、接続方法表示プログラム１４を実施することにより接続方法に関する情報を得ようとした時に、接続しようとする機器の名称をわざわざ入力することなく、機器名称９２に登録されたものの中から２つを選択、入力することにより、処理を実行することが可能となる。ただし、このユーザプロファイル１５は、本発明の構成の例として図１には記載されているが、本発明に必須の構成要件ではない。即ち、ユーザプロファイル１５は、機器の名称に関する情報の入力をより容易にすべく支援するために必要になるものであり、接続方法表示プログラム１４を実施するたびに、機器の名称を入力する構成とすれば、不要なものである。
【００１５】
端子間接続テーブル１６は、図１０に示すように、接続され得る２つの端子の組み合わせを、端子属性テーブル６０の端子属性６２により表して、対応付けて記憶したテーブルである。端子属性Ａ１０１と端子属性Ｂ１０２が、その組み合わせを記憶したものである。端子間接続テーブル１６は、さらに、端子間の接続に用いるケーブルに関する情報である使用ケーブル１０３も対応付けて記憶する。組み合わせＮｏ１０４は、端子属性の組み合わせに対して、便宜上、付番したものである。
【００１６】
クライアント１１が備える送受信プログラム１７は、接続する２つの機器の名称に関する情報をサーバ１０に送信し、接続する端子の画像情報を受信し、表示するための処理を記述したプログラムである。例えば、ブラウザがこれに該当する。
【００１７】
図８は、図７に示したもの以外の電子マニュアルのデータの例である。
【００１８】
ＢＢＢ電子マニュアル８０は機器名称「ＢＢＢ」、機器種別「スピーカー」の電子マニュアルのデータであり、ＢＢＢ取扱説明書ファイル８０１と端子情報属性テーブル８０２と端子画像ファイル８０３とから構成される。
【００１９】
ＣＣＣ電子マニュアル８１は機器名称「ＣＣＣ」、機器種別「ＴＶモニタ」の電子マニュアルのデータであり、ＣＣＣ取扱説明書ファイル８１１と端子情報属性テーブル８１２と端子画像ファイル８１３とから構成される。
【００２０】
ＤＤＤ電子マニュアル８２は機器名称「ＤＤＤ」、機器種別「ＣＤプレイヤー」の電子マニュアルのデータであり、ＤＤＤ取扱説明書ファイル８２１と端子情報属性テーブル８２２と端子画像ファイル８２３とから構成される。
【００２１】
ＥＥＥ電子マニュアル８３は機器名称「ＥＥＥ」、機器種別「ＤＶＤプレイヤー」の電子マニュアルのデータであり、ＥＥＥ取扱説明書ファイル８３１と端子情報属性テーブル８３２と端子画像ファイル８３３とから構成される。
【００２２】
次に図３に示すフローチャートにより、接続方法表示プログラム１４の処理の内容について説明する。
【００２３】
ステップＳ３１では、サーバ１０は接続する２つの機器名称を受信する。この機器名称は、クライアント１１の送受信プログラム１７により送信されたものであり、ユーザによりクライアント１１に入力されたものである。
【００２４】
ステップＳ３２では、ステップＳ３１で受信した機器名称に基づいて、当該機器の電子マニュアルを参照し、当該機器の端子属性を取り出す処理を行う。具体的には、当該機器の電子マニュアルは、当該機器が備える全ての端子の端子画像ファイルと端子属性とを対応付ける端子情報属性テーブルを有しており、この端子情報属性テーブルから端子属性を取り出す処理を行う。
【００２５】
ステップＳ３３では、ステップＳ３２で得た２つの機器の端子属性について、実際に接続され得るか否かを問わず、２つの端子属性を組み合わせる処理を行う。例えば、一方の機器に２つの端子があり、他方の機器に３つの端子があったとすると、６つの端子属性の組み合わせがつくられることになる。
【００２６】
ステップＳ３４では、ステップＳ３３で得られた端子属性の組み合わせに基づいて、端子間接続テーブル１６の端子属性Ａ１０１と端子属性Ｂ１０２とを参照して、該当する組み合わせの有無を判定する処理を行う。
【００２７】
ステップＳ３５では、ステップＳ３４の判定の結果により処理内容を分岐する。端子属性の組み合わせについて、端子間接続テーブル１６に該当する組み合わせが有ればステップＳ３６に進み、無ければステップＳ３８に進む。
【００２８】
ステップＳ３６では、該当した端子属性の組み合わせについて、各端子の端子画像ファイルを取り出す処理を行う。具体的には、端子属性に基づいて電子マニュアル中の端子情報属性テーブルを参照し、対応付けられている端子画像ファイルの名称を得て、当該ファイルを電子マニュアルから取り出す処理を行う。
【００２９】
ステップＳ３７では、ステップＳ３６で取り出した２つの端子画像ファイルを対応付けて、クライアント１１に送信する処理を行う。
【００３０】
なお、ステップＳ３４乃至ステップＳ３５において、端子間接続テーブル１６を参照した際に、２つの端子の接続に用いる使用ケーブル１０３の情報が対応付けられていれば、その情報も同時に取り出し、ステップＳ３７において、端子画像ファイルに対応付けて、併せて送信することも可能である。
【００３１】
ステップＳ３８では、全ての端子属性の組み合わせについてステップＳ３４の判定する処理を行ったか否かを判定する。全てについて行ったと判定すれば本プログラムの処理は終了し、行っていなければステップＳ３３に進む。
【００３２】
以上はクライアント１１からの処理の要求を受けたサーバ１０が行う処理であるが、次に図４のフローチャートによりクライアント１１の処理を説明する。
【００３３】
ステップＳ４１では、クライアント１１は、接続する２つの機器の機器名称をサーバ１０に送信する処理を行う。
【００３４】
ステップＳ４２では、サーバ１０により送信された２つの端子の端子画像ファイルを受信する。ここで受信する情報には、図３の説明にあるように、２つの端子の接続に用いる使用ケーブル１０３の情報を含む場合もある。
【００３５】
ステップＳ４３では、ステップＳ４２で受信した端子画像ファイル等を表示する処理を行う。ユーザはこの表示された情報を参照することにより、２つの機器の接続に関する情報を得ることができる。
【００３６】
次に、機器名称「ＣＣＣ」を有する「ＴＶモニタ」と、機器名称「ＥＥＥ」を有する「ＤＶＤプレイヤー」との接続をする場合の接続情報を得るための処理の具体例を図３及び図４のフローチャートの各ステップに対応付けて説明する。
【００３７】
まず、ユーザはクライアント１１に機器名称「ＣＣＣ」と「ＥＥＥ」とを入力する。そして、クライアント１１は機器名称「ＣＣＣ」と「ＥＥＥ」とをサーバ１０に送信する（ステップＳ４１）。
【００３８】
このステップＳ４１の前の、ユーザが機器名称を入力する操作を支援するために他の実施例も考えられる。ユーザはクライアント１１から予め所有している機器をサーバ１０に登録しておき、サーバ１０は図９（ａ）に示すようにユーザプロファイル１５として、ユーザ名９１ごとに所有している機器名称９２を対応付けて記憶していることとする。そして、ステップＳ４１に先立って、まずクライアント１１からユーザ名９１を送信する。例えば、ユーザ名９１として「ａａａ」がサーバ１０に送信されたとすると、サーバ１０は、ユーザ名「ａａａ」に基づいて、ユーザプロファイル１５を参照して、対応付けて登録されている機器名称９２の全ての情報をクライアント１１に送信する。即ち、この場合では、機器名称９２の「ＡＡＡ」、「ＢＢＢ」、「ＣＣＣ」、「ＤＤＤ」及び「ＥＥＥ」をクライアント１１に送信する。クライアント１１は、受信した機器名称９２の情報を表示し、ユーザは、表示された機器名称９２から、接続情報を得たい２つの機器の名称を選択すればよい。そして、クライアント１１はステップＳ４１に該当する処理として、選択された機器名称９２をサーバ１０に送信する。
【００３９】
サーバ１０は、機器名称「ＣＣＣ」と「ＥＥＥ」とを受信する（ステップＳ３１）。そして、受信した機器名称に基づいて、電子マニュアルＤＢ１３に記憶されているＣＣＣ電子マニュアル８１とＥＥＥ電子マニュアル８３を参照する。さらに、ＣＣＣ電子マニュアル８１の中の端子情報属性テーブル８１２を参照して端子属性「ｏ」、「ｐ」を取り出し、ＥＥＥ電子マニュアル８３の中の端子情報属性テーブル８３２を参照して端子属性「ｆ」、「ｇ」、「ａ」及び「ｂ」を取り出す（ステップＳ３２）。
【００４０】
次にサーバ１０は、２つの機器の電子マニュアルから取り出した端子属性を組み合わせる（ステップＳ３３）。「ＣＣＣ」からは２つの端子属性「ｏ」、「ｐ」、「ＥＥＥ」からは４つの端子属性「ｆ」、「ｇ」、「ａ」及び「ｂ」を取り出したので、それらの組み合わせは、「ｏ」と「ｆ」、「ｏ」と「ｇ」、「ｏ」と「ａ」、「ｏ」と「ｂ」、「ｐ」と「ｆ」、「ｐ」と「ｇ」、「ｐ」と「ａ」、及び「ｐ」と「ｂ」の８通りとなる。
【００４１】
次に、８通りの端子属性の組み合わせについて、端子間接続テーブル１６の端子属性Ａ１０１と端子属性Ｂ１０２との組み合わせに該当するものの有無を判定する（ステップＳ３４）。上記の８通りの中では、「ｏ」と「ｆ」の組み合わせが組み合わせＮｏ１０４の「９」の組み合わせに該当し、「ｐ」と「ｇ」の組み合わせが組み合わせＮｏ１０４の「１０」に該当する。
【００４２】
端子属性の組み合わせについて、該当する組み合わせがあると判定すると（ステップＳ３５）、その２つの端子の端子画像ファイルを電子マニュアルから取り出す（ステップＳ３６）。まず、「ｏ」と「ｆ」の組み合わせについて、端子属性「ｏ」については、取り出した元のＣＣＣ電子マニュアル８１の端子情報属性テーブル８１２を参照し、端子属性「ｏ」には「ｄ＿ｖｉｄｅｏ＿ｉｎ．ｂｍｐ」の名称の端子画像ファイルが対応付けられていることが分かり、実体の端子画像ファイル８１３「ｄ＿ｖｉｄｅｏ＿ｉｎ．ｂｍｐ」を取り出す。そして端子属性「ｆ」については、取り出した元のＥＥＥ電子マニュアル８３の端子情報属性テーブル８３２を参照し、端子属性「ｆ」には「ｄ＿ｏｕｔ．ｂｍｐ」の名称の端子画像ファイルが対応付けられていることが分かり、実体の端子画像ファイル８３３「ｄ＿ｏｕｔ．ｂｍｐ」を取り出す。
【００４３】
取り出した２つの端子画像ファイル「ｄ＿ｖｉｄｅｏ＿ｉｎ．ｂｍｐ」と「ｄ＿ｏｕｔ．ｂｍｐ」とをクライアント１１に送信する（ステップＳ３７）。
【００４４】
クライアント１１は、２つの端子画像ファイル「ｄ＿ｖｉｄｅｏ＿ｉｎ．ｂｍｐ」と「ｄ＿ｏｕｔ．ｂｍｐ」とを受信し（ステップＳ４２）、その画像ファイルを表示する（ステップＳ４３）。
【００４５】
サーバ１０は端子属性のすべての組み合わせについて判定したか否かを判定する（ステップＳ３８）。ステップＳ３３乃至ステップＳ３８までの繰り返しのなかで、同様に「ｐ」と「ｇ」の組み合わせについても端子間接続テーブル１６の組み合わせＮｏ１０４の「１０」に該当すると判定し、２つの端子画像ファイル「ａ＿ｖｉｄｅｏ＿ｉｎ．ｂｍｐ」と「ｖｉｄｅｏ＿ｏｕｔ．ｂｍｐ」とを取り出して、クライアント１１に送信する。
【００４６】
クライアント１１も同様に、２つの端子画像ファイル「ａ＿ｖｉｄｅｏ＿ｉｎ．ｂｍｐ」と「ｖｉｄｅｏ＿ｏｕｔ．ｂｍｐ」とを受信し、表示する。
【００４７】
図１１に表示例を示す。
【００４８】
図１１（ａ）は、「ＣＣＣ」の「ｄ＿ｖｉｄｅｏ＿ｉｎ」の端子と、「ＥＥＥ」の「ｄ＿ｏｕｔ」の端子を接続するための情報を表示した例である。
【００４９】
図１１（ｂ）は、「ＣＣＣ」の「ａ＿ｖｉｄｅｏ＿ｉｎ」の端子と、「ＥＥＥ」の「ｖｉｄｅｏ＿ｏｕｔ」の端子を接続するための情報を表示した例である。
【００５０】
ここで，端子間接続テーブル１６に、使用ケーブル１０３の情報も対応付けられて記憶していれば、端子間を接続するのに用いるケーブルの情報も併せてクライアント１１に送信することが可能である。即ち、端子属性「ｆ」と「ｏ」の組み合わせが組み合わせＮｏ１０４の「９」に該当すると判定したときに、使用ケーブル１０３を参照し、接続に用いるケーブルの情報として「Ｄ端子コード」を得る。同様に端子属性「ｐ」と「ｇ」の組み合わせについては、接続に用いるケーブルの情報として「ビデオコード」を得る。そして、ステップＳ３７で端子画像ファイルをクライアント１１に送信する際に、得られたケーブルの情報を併せて送信する。その情報を受信したクライアント１１は、端子画像ファイルの画像を表示するとともに、端子の接続に用いるべきケーブルの情報についても表示し、ユーザは適切な接続情報を得ることができる。
【００５１】
図２の構成図により、以上の説明とは別の実施例を説明する。
【００５２】
サーバ１０とクライアント１１がネットワーク１２を介して接続されている点は図１に示す構成図と同様であるが、本発明にかかる接続方法表示プログラム２１がサーバ１０ではなくクライアント１１にある点が特徴である。接続方法表示プログラム２１は、端子間接続テーブル１６と所有機器プロファイル２３とを備えている。端子間接続テーブル１６は図１により説明したものと同様である。所有機器プロファイル２３は図９（ｂ）に示すように、ユーザの所有する機器の機器名称９４を予め登録し、記憶したものであり、ユーザプロファイル１５と同様に本発明に必須の構成要件ではない。
【００５３】
次に図５のフローチャートにより、図２の構成における接続方法表示プログラムの処理の詳細を説明する。
【００５４】
ステップＳ５０では、クライアント１１は、接続する２つの機器の機器名称の入力を受け付ける。ここで、所有機器プロファイル２３を備える構成としていれば、予め登録されている機器名称９４を表示し、ユーザはその中から機器名称９４を選択し、その選択された機器名称９４をステップＳ５０において入力された機器名称としてもよい。
【００５５】
ステップＳ５１では、ステップＳ５０で得られた機器名称の電子マニュアルがクライアント１１にダウンロード済みか否かを判定する。本実施例にかかる接続方法表示プログラム２１はクライアント１１で動作するため、参照する電子マニュアルのデータをクライアント１１に備えることが必要である。ダウンロード済みであればステップＳ５３に進み、ダウンロード済みでなければステップＳ５２に進む。
【００５６】
ステップＳ５２では、ダウンロード済みでない電子マニュアルのデータをネットワーク１２を介して、サーバ１０よりダウンロードする。ここまでの処理により参照する電子マニュアルのデータがクライアント１１に備えられることになる。
【００５７】
ステップＳ５３乃至ステップＳ５７の処理は、ステップＳ３２乃至ステップＳ３６の処理と同様である。
【００５８】
ステップＳ５８では、ステップＳ５７で取り出した２つの端子画像ファイルを表示する。この表示された画像を参照することにより、ユーザは機器の接続情報を得ることができる。また、図１による実施例と同様に、端子間接続テーブル１６を参照した際に、対応付けられている使用ケーブル１０３の情報も取り出し、端子画像ファイルを表示する際に、併せて表示することも可能である。
【００５９】
ステップＳ５９の処理はステップＳ３８の処理と同様である。
【００６０】
なお、本発明は上記説明した構成にとらわれるものではなく、別の実施例によって実現されても構わない。
【００６１】
また、本発明を他の分野に適用することも可能である。上記の実施例においては、適用分野をオーディオ機器、映像機器としたが、例えば、パーソナルコンピュータとプリンタ等の周辺機器との接続に適用することもできる。即ち、複数の機器をあるケーブルにより接続する、という状況が発生するすべての分野に、本発明を適用することが可能である。
【００６２】
なお、図示はしていないが、サーバ１０及びクライアント１１は、ＣＰＵ（Ｃｅｎｔｒａｌ  Ｐｒｏｃｅｓｓｉｎｇ  Ｕｎｉｔ）によって装置全体が制御されているコンピュータである。ＣＰＵには、バスを介してＲＡＭ（Ｒａｎｄｏｍ  Ａｃｃｅｓｓ  Ｍｅｍｏｒｙ）、ハードディスク装置（ＨＤＤ）、グラフィック処理部、入力インタフェース、および通信インタフェース等が接続されている。
【００６３】
ＲＡＭには、ＣＰＵに実行させるＯＳ（Ｏｐｅｒａｔｉｎｇ  Ｓｙｓｔｅｍ）のプログラムやその他のプログラムの少なくとも一部が一時的に格納される。また、ＲＡＭには、ＣＰＵによる処理に必要な各種データが格納される。ＨＤＤには、ＯＳやその他のプログラムおよびデータが格納される。
【００６４】
グラフィック処理部には、モニタ装置が接続されている。グラフィック処理部は、ＣＰＵからの命令に従って入力画面などをモニタ装置に表示させる。入力インタフェースには、キーボードやマウス等が接続されている。入力インタフェースは、キーボードやマウス等から送られてくる信号を、バスを介してＣＰＵに送信する。
【００６５】
通信インタフェースは、ネットワーク１２に接続されている。通信インタフェースは、ネットワーク１２を介してサーバ１０と受験者端末１１との間で、相互にデータの送受信を行なう。
【００６６】
本発明の実施の形態に係る接続方法表示プログラム１４、接続方法表示プログラム２１を上述のコンピュータで実行させることによって、コンピュータを接続方法表示装置として機能させることができる。
【００６７】
また、上記のコンピュータが有すべき機能の処理内容は、コンピュータで読み取り可能な記録媒体に記録されたプログラムに記述させておくことができる。このプログラムをコンピュータで実行することにより、上記処理がコンピュータで実現できる。コンピュータで読み取り可能な記録媒体としては、磁気記録装置や半導体メモリなどがある。市場に流通させる場合には、ＣＤ−ＲＯＭ（Ｃｏｍｐａｃｔ  Ｄｉｓｋ  Ｒｅａｄ  Ｏｎｌｙ  Ｍｅｍｏｒｙ）やフレキシブルディスクなどの可搬型記録媒体にプログラムを格納して流通させたり、ネットワークを介して接続されたコンピュータの記憶装置に格納しておき、ネットワークを通じて他のコンピュータに転送したりすることもできる。コンピュータで実行する際には、コンピュータ内のハードディスク装置などにプログラムを格納しておき、メインメモリにロードして実行する。
【００６８】
（付記１）
コンピュータが、２つの機器を接続するための端子の画像情報を送信する方法であって、
接続する機器の機器名称を受信する第１のステップと、
前記機器名称に基づいて、前記機器が有する端子と端子属性とを対応付けて記憶する端子情報属性テーブルを参照して、端子属性を取り出す第２のステップと、
前記取り出した２つの機器の端子属性の組み合わせについて、接続され得る２つの端子の端子属性の組み合わせを記憶する端子間接続テーブルを参照して、該当する端子属性の組み合わせの有無を判定する第３のステップと、
前記第３のステップにおいて該当する組み合わせが有ると判定された端子属性について、対応する端子の画像情報を送信する第４のステップと
を備えたことを特徴とする接続方法表示方法。
【００６９】
（付記２）
前記端子間接続テーブルは、接続され得る２つの端子の端子属性の組み合わせに、さらに該２つの端子の接続に用いるケーブルに関する情報を対応付けて記憶しており、
前記第３のステップにおいて該当する組み合わせが有ると判定された端子属性の組み合わせに基づいて、前記端子間接続テーブルを参照して接続に用いるケーブルに関する情報を取り出し、前記第４のステップにおいて、該ケーブルに関する情報を前記端子の画像情報と併せて送信すること
を特徴とする付記１記載の接続方法表示方法。
【００７０】
（付記３）
コンピュータを動作させるためのプログラムであって、コンピュータに
接続する機器の機器名称を受信する第１の手段と、
前記機器名称に基づいて、前記機器が有する端子と端子属性とを対応付けて記憶する端子情報属性テーブルを参照して、端子属性を取り出す第２の手段と、
前記取り出した２つの機器の端子属性の組み合わせについて、接続され得る２つの端子の端子属性の組み合わせを記憶する端子間接続テーブルを参照して、該当する端子属性の組み合わせの有無を判定する第３の手段と、
前記第３の手段において該当する組み合わせが有ると判定された端子属性について、対応する端子の画像情報を送信する第４の手段と
を機能させるための接続方法表示プログラム。
【００７１】
（付記４）
２つの機器を接続するための端子の画像情報を送信する装置であって、
接続する機器の機器名称を受信する第１の手段と、
前記機器が有する端子と端子属性とを対応付けて記憶する端子情報属性テーブルと、
前記機器名称に基づいて、前記端子情報属性テーブルを参照して、端子属性を取り出す第２の手段と、
接続され得る２つの端子の端子属性の組み合わせを記憶する端子間接続テーブルと、
前記取り出した２つの機器の端子属性の組み合わせについて、前記端子間接続テーブルを参照して、該当する端子属性の組み合わせの有無を判定する第３の手段と、
前記第３の手段において該当する組み合わせが有ると判定された端子属性について、対応する端子の画像情報を送信する第４の手段と
を備えることを特徴とする接続方法表示装置。
【００７２】
（付記５）
コンピュータが、２つの機器を接続するための端子の画像情報を表示する方法であって、
接続する機器の機器名称の入力を受け付ける第１のステップと、
前記機器名称に基づいて、前記機器が有する端子と端子属性とを対応付けて記憶する端子情報属性テーブルを参照して、端子属性を取り出す第２のステップと、
前記取り出した２つの機器の端子属性の組み合わせについて、接続され得る２つの端子の端子属性の組み合わせを記憶する端子間接続テーブルを参照して、該当する端子属性の組み合わせの有無を判定する第３のステップと、
前記第３のステップにおいて該当する組み合わせが有ると判定された端子属性について、対応する端子の画像情報を表示する第４のステップと
を備えたことを特徴とする接続方法表示方法。
【００７３】
（付記６）
コンピュータを動作させるためのプログラムであって、コンピュータに
接続する機器の機器名称の入力を受け付ける第１の手段と、
前記機器名称に基づいて、前記機器が有する端子と端子属性とを対応付けて記憶する端子情報属性テーブルを参照して、端子属性を取り出す第２の手段と、
前記取り出した２つの機器の端子属性の組み合わせについて、接続され得る２つの端子の端子属性の組み合わせを記憶する端子間接続テーブルを参照して、該当する端子属性の組み合わせの有無を判定する第３の手段と、
前記第３の手段において該当する組み合わせが有ると判定された端子属性について、対応する端子の画像情報を表示する第４の手段と
を機能させるための接続方法表示プログラム。
【００７４】
（付記７）
コンピュータが、２つの機器を接続するための端子の画像情報を表示する方法であって、
接続する機器の機器名称を送信する第１のステップと、
前記機器を接続する端子の画像情報を受信する第２のステップと、
前記受信した画像情報を表示する第３のステップと
を備えたことを特徴とする端子画像表示方法。
【００７５】
【発明の効果】
以上説明したように、接続したい機器の名称を入力することにより、接続する端子の画像、用いるケーブル等の接続情報を得ることができることから、作業に不慣れな人でも容易に接続作業をすることが可能となる。
【図面の簡単な説明】
【図１】本発明を実現するための構成図である。
【図２】本発明を実現するための第２の構成図である。
【図３】接続方法表示プログラムの処理を説明するフローチャートである。
【図４】送受信プログラムの処理を説明するフローチャートである。
【図５】第２の構成図における接続方法表示プログラムの処理を説明するフローチャートである。
【図６】端子属性テーブルを図示したものである。
【図７】電子マニュアルのデータの構成を示したものである。
【図８】電子マニュアルのデータの例を示したものである。
【図９】ユーザプロファイル／所有機器プロファイルを図示したものである。
【図１０】端子間接続テーブルを図示したものである。
【図１１】端子画像の表示例を図示したものである。
【符号の説明】
１０    サーバ
１１    クライアント
１２    ネットワーク
１３    電子マニュアルＤＢ
１４    接続方法表示プログラム
１５    ユーザプロファイル
１６    端子間接続テーブル
１７    送受信プログラム
２１    接続豊富表示プログラム
２２    送受信プログラム
２３    所有機器プロファイル
６０    端子属性テーブル
６１    端子種別
６２    端子属性
７０    ＡＡＡ電子マニュアル
７０１  ＡＡＡ取扱説明書ファイル
７０２  端子情報属性テーブル
７０３  端子画像ファイル
８０    ＢＢＢ電子マニュアル
８０１  ＢＢＢ取扱説明書ファイル
８０２  端子情報属性テーブル
８０３  端子画像ファイル
８１    ＣＣＣ電子マニュアル
８１１  ＣＣＣ取扱説明書ファイル
８１２  端子情報属性テーブル
８１３  端子画像ファイル
８２    ＤＤＤ電子マニュアル
８２１  ＤＤＤ取扱説明書ファイル
８２２  端子情報属性テーブル
８２３  端子画像ファイル
８３    ＥＥＥ電子マニュアル
８３１  ＥＥＥ取扱説明書ファイル
８３２  端子情報属性テーブル
８３３  端子画像ファイル
９１    ユーザ名
９２    機器名称
９３    機器Ｎｏ
９４    機器名称
１０１  端子属性Ａ
１０２  端子属性Ｂ
１０３  使用ケーブル
１０４  組み合わせＮｏ
【図１】
2005031738.tif 000003
【図２】
2005031738.tif 000004
【図３】
2005031738.tif 000005
【図４】
2005031738.tif 000006
【図５】
2005031738.tif 000007
【図６】
2005031738.tif 000008
【図７】
2005031738.tif 000009
【図８】
2005031738.tif 000010
【図９】
2005031738.tif 000011
【図１０】
2005031738.tif 000012
【図１１】
2005031738.tif 000013